(57)【要約】【課題】効率よく店舗での会計処理を行なうことができ、レジでの売り上げ金及び釣銭の盗難、あるいは売上金回収の際の盗難の被害を防止した会計処理システムを実現すること。【解決の手段】会計処理装置に挿入された紙幣のうち、高額紙幣を選別して、直ちに会計カウンターから離れた金庫に移送し、保管する。購入商品に取り付けた価格情報担持体に保持されている価格情報を、例えば、無線信号により、距離を置いても読み取れるようにする。【選択図】　図２
2004013392.tif 000002
【特許請求の範囲】
【請求項１】
商品を運搬するための所定の容器および会計カウンターを具えた店舗で、価格情報を保持する価格情報担持体をそれぞれ取り付けた商品を販売するための会計処理方法において、
前記商品の購入者が前記商品を選択して、前記所定の容器に入れ、前記会計カウンターに運びこむ過程、
前記購入者が前記会計カウンターに運びこんだ前記商品に取り付けられた前記価格情報担持体が保持する前記価格情報を、前記会計カウンターに具えた情報読み取り手段により読み取る過程、
読み取られた前記価格情報を処理して、前記購入者が前記会計カウンターに運びこんだ前記商品の価格の合計金額を算出する過程、
前記合計金額を前記購入者に対して表示する過程、
前記購入者が、表示された前記合計金額に相当する代金を前記会計カウンターに具えた金銭収受手段に差し入れる過程、
前記代金のうちから高額紙幣を選別する過程、
選別された前記高額紙幣を紙幣運搬装置により金庫に移送する過程、
移送された前記高額紙幣を前記金庫に収納する過程、および
前記代金の残余の部分を前記金庫又は他の金庫に収納する過程から成る、商品会計処理方法。
【請求項２】
前記代金を前記購入者が前記金銭収受手段に差し入れる過程と、前記高額紙幣を前記紙幣運搬装置により前記金庫に移送する過程との時間間隔が、前記代金を前記金銭収受手段に差し入れる前記過程と前記残余の部分を前記金庫又は他の金庫に収納する過程との時間間隔よりも著しく短い、請求項１の商品会計処理方法。
【請求項３】
前記価格情報を前記情報読み取り手段により読み取る過程において、前記情報読み取り手段が、前記価格情報担持体に接触することなく前記価格情報担持体が保持する前記価格情報を読み取る、請求項１又は２の商品会計処理方法。
【請求項４】
前記情報読み取り手段が、それと前記価格情報担持体の間に１以上の商品が介在しても前記価格情報担持体から前記価格情報を読み取ることができる、請求項３の商品会計処理方法。
【請求項５】
前記情報読み取り手段が、前記価格情報担持体に保持された前記価格情報を電磁誘導により読み取る、請求項４の商品会計処理方法。
【請求項６】
前記情報読み取り手段が、前記価格情報担持体に保持された前記価格情報を無線信号により読み取る、請求項４の商品会計処理方法。
【請求項７】
店舗で販売する商品にそれぞれ取り付けられ、前記商品の価格情報を保持する価格情報担持体と、前記商品の購入者が選択した前記商品を入れる所定の容器と、会計カウンターとから成り、前記会計カウンターに、前記価格情報担持体が保持する前記価格情報を読み取る情報読み取り手段、読み取られた前記価格情報を処理し、前記購入者が前記会計カウンターに運びこんだ前記商品の価格の合計金額を算出する計算手段、前記合計金額を前記購入者に対し表示する表示手段、および前記購入者が前記合計金額に相当する代金を差し入れる金銭収受手段を具える、商品会計処理システムにおいて、
前記会計カウンターから離れた場所に設けられ、前記代金を収納する一以上の金庫と、
前記代金のうちから選別された高額紙幣を、前記金銭収受手段から前記金庫に移送する紙幣運搬装置とを具えることを特徴とする、商品会計処理システム。
【請求項８】
前記情報読み取り手段が、前記容器から個々の前記商品を取り出すことなく前記価格情報を読み取る、請求項７の商品会計処理システム。
【請求項９】
前記情報読み取り手段が、前記価格情報担持体に保持された前記価格情報を電磁誘導により読み取る、請求項８の商品会計処理システム。
【請求項１０】
前記情報読み取り手段が、前記価格情報担持体に保持された前記価格情報を無線信号により読み取る、請求項８の商品会計処理システム。
【請求項１１】
店舗で販売する商品にそれぞれ取り付けられ、前記商品の価格情報を保持する価格情報担持体と、前記商品の購入者が選択した前記商品を入れる所定の容器と、会計カウンターとから成り、前記会計カウンターに、前記価格情報担持体が保持する前記価格情報を読み取る情報読み取り手段、読み取った前記価格情報を処理し、前記購入者が前記会計カウンターに運びこんだ前記商品の価格の合計金額を算出する計算手段、前記合計金額を前記購入者に対し表示する表示手段、および前記購入者が前記合計金額に相当する代金を差し入れる金銭収受手段を具える、商品会計処理システムにおいて、
前記会計カウンターから離れた場所に設けられ、前記代金を収納する一以上の金庫と、
前記代金から高額紙幣を選別する紙幣選別手段と、
選別された前記高額紙幣を前記金銭収受手段から前記金庫に移送する紙幣運搬装置とを具えることを特徴とする、商品会計処理システム。
【請求項１２】
前記情報読み取り手段が、前記価格情報担持体に接触することなく前記価格情報を読み取る、請求項１１の商品会計処理システム。
【請求項１３】
前記情報読み取り手段が、前記容器から個々の前記商品を取り出すことなく前記価格情報を読み取る、請求項１１の商品会計処理システム。
【請求項１４】
前記情報読み取り手段が、前記価格情報担持体に保持された前記価格情報を電磁誘導により読み取る、請求項１３の商品会計処理システム。
【請求項１５】
前記情報読み取り手段が、前記価格情報担持体に保持された前記価格情報を無線信号により読み取る、請求項１３の商品会計処理システム。
【請求項１６】
前記紙幣選別手段が、高額紙幣を自動的に選別する紙幣選別装置である、請求項１３の商品会計処理システム。
【請求項１７】
前記代金のうち前記高額紙幣を第一の前記金庫に、残余の部分を第二の前記金庫に収納する、請求項１１又は１６の商品会計処理システム。
【請求項１８】
店舗で販売する商品にそれぞれ取り付けられ、前記商品の価格情報を保持する価格情報担持体と、前記商品の購入者が選択した前記商品を入れる所定の容器と、会計カウンターとから成り、前記会計カウンターに、前記価格情報担持体が保持する前記価格情報を読み取る情報読み取り手段、読み取られた前記価格情報を処理し、前記購入者が前記会計カウンターに運びこんだ前記商品の価格の合計金額を算出する計算手段、前記合計金額を前記購入者に対し表示する表示手段、および前記購入者が前記合計金額に相当する代金を差し入れる金銭収受手段を具える、商品会計処理システムにおいて、
前記情報読み取り手段が、前記容器から個々の前記商品を取り出すことなく前記価格情報を読み取るものであることを特徴とする、商品会計処理システム。
【請求項１９】
前記情報読み取り手段が、前記価格情報担持体に保持された前記価格情報を電磁誘導により読み取る、請求項１７の商品会計処理システム。
【請求項２０】
前記情報読み取り手段が、前記価格情報担持体に保持された前記価格情報を無線信号により読み取る、請求項１７の商品会計処理システム。
【発明の詳細な説明】
【０００１】
【発明の属する分野】
本発明は、商品会計処理方法およびシステムに関し、特に、スーパーマーケットやディスカウントショップ（以下、スーパーマーケットという）等の大規模小売店舗で会計処理に用いる、防犯上の安全性を増大した商品会計処理方法及びシステムに関する。
【０００２】
【従来の技術】
従来、スーパーマーケット等の小売店舗で販売品の会計処理には、買い物客が購入する商品の代金の合計を会計カウンター（以下、レジという）で計算し、客は代金の計算された総額をレジの係員に支払っている。
【０００３】
それぞれのレジに一定期間、例えば１日の、売り上げ金が集積され、その期間の終わりに売り上げ金を各レジから集めて、店舗の金庫に収納する。
【０００４】
客が小額紙幣や小銭を持合せておらず、精算が必要となる場合があるため、レジでは充分な量の釣銭を予め用意しておく必要がある。
【０００５】
【発明が解決しようとする課題】
しかし、従来の会計処理によると、売り上げ金を回収して金庫に収納するまでの間、各レジに相当に多額の金銭が集積されることになるため、盗難の恐れが大きいという問題がある。精算のための釣銭も、売り上げ金回収までに不足を生じないよう各レジに相当の金額が準備されるから、これも盗難の対象になる。
【０００６】
各レジから売り上げ金を回収する際には、運搬する金額がさらに大きくなり、盗難、特に強盗の被害の恐れがあり、個々のレジでの盗難より被害金額はさらに大きくなる。
【０００７】
また、別の問題として、買い物客が集中する時間帯には会計処理が間に合わず、レジでの客の待ち時間が長くなる。習熟度等に関係してレジの係員の会計処理能力には差があるので、一部のレジで集中的に渋滞が発生する。
【０００８】
従って、本発明の目的は、効率よく店舗での会計処理を行なうことができ、レジでの売り上げ金及び釣銭の盗難、あるいは売上金回収の際の盗難の被害を防止した会計処理システムを実現することにある。
【０００９】
【課題を解決するための手段】
本発明は、上記した目的を達成するため、商品を運搬するための所定の容器および会計カウンターを具えた店舗で、価格情報を保持する価格情報担持体をそれぞれ取り付けた商品を販売するための会計処理方法において、商品の購入者が商品を選択して、所定の容器に入れ、会計カウンターに運びこむ過程、購入者が会計カウンターに運びこんだ商品に取り付けられた価格情報担持体が保持する価格情報を、会計カウンターに具えた情報読み取り手段により読み取る過程、読み取った価格情報を処理して、購入者が会計カウンターに運びこんだ商品の価格の合計金額を算出する過程、合計金額を購入者に対して表示する過程、購入者が表示された合計金額に相当する代金を会計カウンターに具えた金銭収受手段に差し入れる過程、代金のうちから高額紙幣を選別する過程、選別された高額紙幣を紙幣運搬装置により金庫に移送する過程、移送された高額紙幣を金庫に収納する過程、及び代金の残余の部分を同じ金庫または他の金庫に収納する過程から成る商品会計処理方法を提供する。
【００１０】
本発明の商品会計処理方法が、店舗に商品を運搬するための所定の容器および会計カウンターを備える過程、商品に価格情報を保持する価格情報担持体を取り付ける過程、会計カウンターに情報読み取り手段、合計金額を算出する手段とそれを表示する手段、および購入者が代金を差し入れる金銭収受手段を設ける過程、店舗に代金を保管する金庫及び高額紙幣を金銭収受手段から金庫に移動する紙幣運搬装置を設ける過程を、含むことは自明である。
【００１１】
高額紙幣を紙幣運搬装置により金庫に移送する過程は、購入者が代金を金銭収受手段に差し入れてから、できる限り短い時間後に行なうことが盗難防止上好ましい。すなわち、高額紙幣を金庫に移送する過程と、購入者が代金を金銭収受手段に差し入れる過程との時間間隔は、代金を金銭収受手段に差し入れる過程と代金の残余の部分を金庫に収納する過程との時間間隔よりも著しく短くすることが好ましい。
【００１２】
価格情報を情報読み取り手段により読み取る過程において、情報読み取り手段は、タグ等の価格情報担持体に保持された価格情報を価格情報担持体に接触することなく読み取ることができると、特に価格情報担持体との間に１以上の商品が介在しても価格情報担持体から価格情報を読み取ることができると、容器から個々の商品を取り出さないで会計処理ができ、有利である。この場合には無論、価格情報担持体に保持される価格情報は、そのような読み取りに適合したものとする。例えば情報読み取り手段は、価格情報担持体に保持された価格情報を電磁誘導により、あるいは無線信号により読み取る。
【００１３】
また、本発明は、上記した目的を達成するため、店舗で販売する商品にそれぞれ取り付けられ、その商品の価格情報を保持する価格情報担持体と、商品の購入者が選択した商品を入れる所定の容器と、会計カウンターとから成り、会計カウンターに、価格情報担持体が保持する価格情報を読み取る情報読み取り手段、読み取られた価格情報を処理し、購入者が会計カウンターに運びこんだ商品の価格の合計金額を算出する計算手段、合計金額を購入者に対し表示する表示手段、および購入者が合計金額に相当する代金を差し入れる金銭収受手段を具える、商品会計処理システムにおいて、
会計カウンターから離れた場所に設けられ、代金を収納する一以上の金庫と、代金のうちから選別された高額紙幣を金銭収受手段から金庫に移送する紙幣運搬装置とを具える商品会計処理システムを提供する。
【００１４】
本発明の商品会計処理システムは、さらに、代金のうちから高額紙幣を選別する手段、特に自動的に選別する紙幣選別装置を、具えることが好ましい。紙幣選別装置は公知のものを用いればよく、例えば、紙幣の一面または両面の絵柄および識別記号を認識することにより、紙幣の種類を識別する装置を用いる。
【００１５】
また、効率よく店舗での会計処理を行なうことができる会計処理システムを実現するため、店舗で販売する商品にそれぞれ取り付けられ、その商品の価格情報を保持する価格情報担持体と、商品の購入者が選択した商品を入れる所定の容器と、会計カウンターとから成り、会計カウンターに、価格情報担持体が保持する価格情報を読み取る情報読み取り手段、読み取られた価格情報を処理し、購入者が会計カウンターに運びこんだ商品の価格の合計金額を算出する計算手段、合計金額を購入者に対し表示する表示手段、および購入者が合計金額に相当する代金を差し入れる金銭収受手段を具える、商品会計処理システムにおいて、
情報読み取り手段が、所定の容器から個々の商品を取り出すことなく価格情報を読み取るものである商品会計処理システムを提供する。
【００１６】
価格情報担持体は、例えばタグのようなものでもよいし、商品の価格を目視できるよう表示したラベル兼用のものでもよい。
【００１７】
情報読み取り手段は、価格情報担持体に保持された価格情報を価格情報担持体に接触することなく読み取ることができれば、特に価格情報担持体との間に１以上の商品が介在しても価格情報担持体から価格情報を読み取ることができれば、容器から個々の商品を取り出さないで会計処理ができるので、有利である。この場合には無論、価格情報担持体に保持される価格情報を、そのような読み取りに適合したものとする。例えば情報読み取り手段は、価格情報担持体から価格情報を電磁誘導により、あるいは無線信号により非接触で読み取る。
【００１８】
紙幣運搬装置は、紙幣を自動的に運搬する装置、例えばコンベアであることが好ましい。手押し車、自動車等の人手を介する運搬手段は含まない。
【００１９】
【発明の実施の形態】
以下、本発明の実施の形態を詳細に説明する。
図１は、本発明の商品会計処理システムにおいて用いる価格情報担持体を示し、購入商品１に価格情報担持体であるタグ２が、容易に脱落しないように取り付けられている。
【００２０】
図２は、本発明の商品会計処理システムの実施の形態の一例を示し、会計処理装置３と店舗のバックヤードＡに設けられた金庫４と、それらを結ぶ金銭コンベアで構成される。金銭コンベアは、紙幣搬送コンベア２７と硬貨搬送コンベア２８とから成る。
【００２１】
会計処理装置３は、商品コンベア１１、読み取り装置１２、および自動会計器１３から成る。商品コンベア１１は、購入者（図示せず）が購入商品１を運ぶための買物かご１４を載せると、それを読み取り装置１２の正面付近に移動させ、読み取りが終わった後、さらに購入者が受け取り易い位置まで移動させる。
【００２２】
読み取り装置１２は、購入商品１に取り付けられたタグ２（図１を参照）に保持された価格情報を、無線信号として読み取り、自動会計器１３に伝達する。
【００２３】
自動会計器１３は、図２にはその外観のみが示され、表示部２１、金銭投入部２２、釣銭排出部２３、操作ボタン２４、および図示しない演算装置を具える。演算装置により購入商品１全部の価格の合計が計算され、表示部２１に表示される。金銭投入部２２に投入された金額と支払うべき代金との差額すなわち釣銭の金額も、演算装置により計算され、表示部２１に表示される。操作ボタン２４は価格の集計の実行あるいは中止、表示部２１の表示の実行あるいは消去等の命令を入力するために用いられる。金銭投入部２２は紙幣挿入口２２Ｎと硬貨投入口２２Ｃを有する。
【００２４】
図３は、演算装置２５を含む自動会計器１３の構成を示し、表示部２１、金銭投入部２２、釣銭排出部２３、操作ボタン２４、演算装置２５、及び紙幣選別装置２６を具える。さらに金庫４との間に紙幣搬送コンベア２７と硬貨搬送コンベア２８が設けられている。自動会計器１３の紙幣挿入口２２Ｎと紙幣搬送コンベア２７の間には、高額紙幣、例えば１万円札と、それ以外の紙幣を選別するための紙幣選別装置２６が介在する。紙幣選別装置２６は、選別された高額紙幣以外の紙幣を一時貯蔵するため紙幣貯蔵容器２６Ｓを有する。金銭投入部２２の硬貨投入口２２Ｃは、硬貨貯蔵容器２２Ｄを介して硬貨搬送コンベア２８に連結されている。
【００２５】
図４は金庫４の内部の構成を示すブロック図である。金庫４は紙幣収容部３１及び硬貨収容部３２を具え、紙幣収容部３１は紙幣搬送コンベア２７に、硬貨収容部３２は硬貨搬送コンベア２８に、それぞれ連結されている。
【００２６】
以下に、図２に示す商品会計処理システムの動作を、図３および図４を参照しつつ説明する。
【００２７】
商品コンベア１１は、購入者（図示せず）が購入商品１を運ぶための買物かご１４を載せると買物かご１４を読み取り装置１２の正面付近に移動させる。読み取り装置１２により、購入商品１に取り付けられたタグ２に保持された価格情報が、無線信号として読み取られ、自動会計器１３に伝達される。読み取りが終わった後、買物かご１４は商品コンベア１１により、購入者が受け取り易い位置まで移動される。
【００２８】
読み取り装置１２から自動会計器１３に伝達された価格情報にもとづき、自動会計器１３の演算装置２５は購入商品１全部の価格の合計を計算し、合計額は表示部２１に表示される。購入者は表示部２１に表示された合計金額を見て、支払うべき代金を金銭投入部２２に投入する。金銭投入部２２では投入された金額を検出し、演算装置２５は商品価格の合計金額と比較して釣銭の金額又は不足金額を計算し、計算結果が表示部２１に表示される。釣銭は、演算装置２５で計算された金額に応じて、硬貨貯蔵容器２２Ｄ及び紙幣貯蔵容器２６Ｓから釣銭排出部２３を通して排出され、購入者はそれを受け取る。演算装置２５による価格集計の計算の実行あるいは中止、表示部２１の表示の実行あるいは消去等の命令は、操作ボタン２４から演算装置２５および表示部２１の制御部（図示せず）に入力される。
【００２９】
金銭投入部２２の紙幣挿入口２２Ｎに挿入された紙幣は、紙幣選別装置２６で選別され、選別された高額紙幣は紙幣搬送コンベア２７により、直ちに金庫４の紙幣収容部３１に移送され、そこに保管される。高額紙幣以外の紙幣は紙幣貯蔵容器２６Ｓに一時貯蔵されて、釣銭に利用され、所定の時期に紙幣搬送コンベア２７により金庫４の紙幣収容部３１に移送され、そこに保管される。
【００３０】
金銭投入部２２の硬貨投入口２２Ｃに投入された硬貨は、硬貨貯蔵容器２２Ｄに一時貯蔵されて、釣銭に利用され、所定の時期に硬貨搬送コンベア２８により金庫４の硬貨収容部３２に移送され、そこに保管される。
【００３１】
金庫４の紙幣収容部３１を、高額紙幣を収容する部分とそれ以外の紙幣を収容する部分に分け、前者には関門を設けて、紙幣選別装置２６で高額紙幣が選別されたとき、それに連動して開くようにしてもよい。
【００３２】
本発明による上記の商品会計処理システムによると、購入商品１に取り付けられたタグ２に保持された価格情報が、読み取り装置１２により無線信号として読み取られるので、買物かご１４にいくつかの購入商品１が集積されていても、価格情報を読み取ることができ、買物かご１４から個々の商品を取り出さなくても代金の会計処理ができる。
【００３３】
また、上記の商品会計処理システムによると、金銭投入部２２に挿入された紙幣のうち高額紙幣を、紙幣選別装置２６で選別し、直ちに紙幣搬送コンベア２７により金庫４の紙幣収容部３１に移送し、保管することができるので、会計処理装置３から多額の金銭が盗まれる恐れは極めて小さくなる。
【００３４】
【発明の効果】
本発明の商品会計処理方法によると、会計カウンターで受け取った紙幣のうち高額紙幣を選別して、直ちに会計カウンターから離れた金庫に移送し、保管することができるので、会計カウンターから多額の金銭が盗まれる恐れは極めて小さい。
【００３５】
また、本発明の商品会計処理方法によると、商品にそれぞれ取り付けた価格情報担持体に保持された価格情報を、無線信号等として読み取るので、買物かご等の商品運搬容器にいくつかの購入商品が集積されていても、価格情報を読み取ることができ、容器から個々の商品を取り出さなくても代金の会計処理ができる。これにより、代金の会計処理の効率が著しく向上する。
【００３６】
また、本発明の商品会計処理システムによると、会計処理装置に挿入された紙幣のうち高額紙幣を選別して、直ちに会計カウンターから離れた金庫に移送し、保管することができるので、会計カウンターから多額の金銭が盗まれる恐れは極めて小さくなる。
【００３７】
本発明の商品会計処理システムによると、商品にそれぞれ取り付けた価格情報担持体に保持された価格情報を、読み取り装置により無線信号等として読み取るので、買物かご等の商品運搬容器にいくつかの購入商品が集積されていても、価格情報を読み取ることができ、容器から個々の商品を取り出さなくても代金の会計処理ができる。これにより、代金の会計処理の効率が著しく向上する。
【図面の簡単な説明】
【図１】本発明の商品会計処理システムに用いる、価格情報担持体を示す見取り図
【図２】本発明の商品会計処理システムの実施の形態の一例を示す説明図
【図３】自動会計器の構成を示すブロック図
【図４】金庫の内部の構成を示すブロック図
【符号の説明】
１，購入商品　２，タグ　３，会計処理装置　４，金庫　１１，商品コンベア１２，読み取り装置　１３，自動会計器　１４，買物かご　２１，表示部
２２，金銭投入部　２２Ｃ，硬貨投入口　２２Ｄ，硬貨貯蔵容器
２２Ｎ，紙幣挿入口　２３，釣銭排出部　２４，操作ボタン
２５，演算装置　２６，紙幣選別装置　２６Ｓ，紙幣貯蔵容器
２７，紙幣搬送コンベア　２８，硬貨搬送コンベア　３１，紙幣収容部
３２，硬貨収容部　Ａ，バックヤード
【図１】
2004013392.tif 000003
【図２】
2004013392.tif 000004
【図３】
2004013392.tif 000005
【図４】
2004013392.tif 000006